(57)【要約】  本入退室管理システムは、受信機、錠制御手段、判定手段、警告制御手段を備える。  受信機は、扉の近傍に設けられ、所定の検出範囲に存在するＩＣタグからＩＤ情報を受信する。錠制御手段は、通常時は、扉の錠装置に対して所定の通常制御を行い、火災感知装置によって火災の発生が検出されると、扉の錠装置に対して所定の避難制御を行う。判定手段は、火災感知装置によって火災の発生が検出されると、受信機が受信したＩＤ情報に基づいて、入室を許可されていないＩＣタグが部屋に入る恐れがあるか否かを判定する。警告制御手段は、入室を許可されていないＩＣタグが部屋に入る恐れがあることが判定手段によって判定された場合に、扉の近傍に設けられた報知装置から、入室を許可されていない旨を報知させる。
2013094022.tif 000002
【特許請求の範囲】
【請求項１】
所定の災害の発生を検出する災害検出装置と、
所定の部屋への入退室を規制するための扉の近傍に設けられ、所定の検出範囲に存在するＩＣタグからＩＤ情報を受信する受信機と、
通常時は、前記受信機が受信したＩＤ情報が既登録のＩＤ情報と一致する場合に、前記扉の錠装置を解錠する通常制御を行い、前記災害検出装置によって災害の発生が検出されると、前記扉の錠装置に対して所定の避難制御を行う錠制御手段と、
前記扉の近傍に設けられた報知装置と、
前記災害検出装置によって災害の発生が検出されると、前記受信機が受信したＩＤ情報に基づいて、入室を許可されていないＩＣタグが前記部屋に入る恐れがあるか否かを判定する判定手段と、
入室を許可されていないＩＣタグが前記部屋に入る恐れがあることが前記判定手段によって判定された場合に、前記報知装置から、入室を許可されていない旨を報知させる警告制御手段と、
を備えた入退室管理システム。
【請求項２】
前記受信機は、
前記部屋の外側に存在するＩＣタグからＩＤ情報を受信するための第１受信手段と、
前記部屋の内側に存在するＩＣタグからＩＤ情報を受信するための第２受信手段と、
を備え、
前記判定手段は、入室を許可されていないＩＣタグから、前記第１受信手段がＩＤ情報を受信した場合に、入室を許可されていないＩＣタグが前記部屋に入る恐れがあることを判定する請求項１に記載の入退室管理システム。
【請求項３】
前記判定手段は、前記災害検出装置によって災害の発生が検出されると、前記受信機が受信したＩＤ情報に基づいて、入室を許可されていないＩＣタグが前記部屋に入ったか否かを判定し、
前記警告制御手段は、入室を許可されていないＩＣタグが前記部屋に入ったことが前記判定手段によって判定されると、所定のセンター装置に通報する
請求項１に記載の入退室管理システム。
【請求項４】
前記受信機は、
前記部屋の外側に存在するＩＣタグからＩＤ情報を受信するための第１受信手段と、
前記部屋の内側に存在するＩＣタグからＩＤ情報を受信するための第２受信手段と、
を備え、
前記判定手段は、
入室を許可されていないＩＣタグから、前記第１受信手段がＩＤ情報を受信した場合に、入室を許可されていないＩＣタグが前記部屋に入る恐れがあることを判定し、
入室を許可されていないＩＣタグから、前記第２受信手段がＩＤ情報を受信した場合に、入室を許可されていないＩＣタグが前記部屋に入ったことを判定する
請求項３に記載の入退室管理システム。
【請求項５】
前記警告制御手段は、入室を許可されていないＩＣタグが前記部屋に入る恐れがあることが前記判定手段によって判定された場合は、入室を許可されていないＩＣタグが前記部屋に入ったことが前記判定手段によって判定された後も、前記報知装置から、入室を許可されていない旨を報知させる請求項３又は請求項４に記載の入退室管理システム。
【請求項６】
入室を許可されていないＩＣタグが前記部屋に入ったことが前記判定手段によって判定されてから、そのＩＣタグが前記部屋から出るまでの時間を計測し、計測結果を前記センター装置に送信させる計測手段と、
を備えた請求項３又は請求項４に記載の入退室管理システム。
【請求項７】
所定の災害の発生を検出する災害検出装置と、
所定場所の通行を規制するための扉の近傍に設けられ、所定の検出範囲に存在するＩＣタグからＩＤ情報を受信する受信機と、
通常時は、前記受信機が受信したＩＤ情報が既登録のＩＤ情報と一致する場合に、前記扉の錠装置を解錠する通常制御を行い、前記災害検出装置によって災害の発生が検出されると、前記扉の錠装置に対して所定の避難制御を行う錠制御手段と、
前記扉の近傍に設けられた報知装置と、
前記災害検出装置によって災害の発生が検出されると、前記受信機が受信したＩＤ情報に基づいて、ＩＣタグが前記所定場所を通行しようとしているか否かを判定する第１判定手段と、
前記所定場所を通行した後に続く避難経路が通行止めになっているか否かを判定する第２判定手段と、
ＩＣタグが前記所定場所を通行しようとしていることが前記第１判定手段によって判定され、且つ、前記所定場所を通行した後に続く避難経路が通行止めになっていることが前記第２判定手段によって判定された場合に、前記報知装置から、前記所定場所を通らないようにする旨を報知させる警告制御手段と、
を備えた入退室管理システム。
【請求項８】
前記受信機は、
前記扉の一側に存在するＩＣタグからＩＤ情報を受信するための第１受信手段と、
前記扉の他側に存在するＩＣタグからＩＤ情報を受信するための第２受信手段と、
を備え、
前記第２判定手段は、前記扉の他側から続く避難経路が通行止めになっているか否かを判定し、
前記警告制御手段は、前記第１受信手段がＩＣタグからＩＤ情報を受信し、且つ、前記扉の他側から続く避難経路が通行止めになっていることが前記第２判定手段によって判定された場合に、前記報知装置から、前記所定場所を通らないようにする旨を報知させる
請求項７に記載の入退室管理システム。
【請求項９】
前記第２判定手段は、前記扉の一側から続く避難経路が通行止めになっているか否かを判定し、
前記警告制御手段は、前記第２受信手段がＩＣタグからＩＤ情報を受信し、且つ、前記扉の一側から続く避難経路が通行止めになっていることが前記第２判定手段によって判定された場合に、前記報知装置から、前記所定場所を通らないようにする旨を報知させる
請求項８に記載の入退室管理システム。
【発明の詳細な説明】
【技術分野】
【０００１】
この発明は、ＩＣタグを利用した入退室管理システムに関するものである。
【背景技術】
【０００２】
ＩＣタグを用いた入退室管理システムでは、入退室を所定の人に制限したい部屋の出入口や、通行を所定の人に制限したい通路等に、受信機を設置している。受信機は、所定の検出範囲に存在するＩＣタグから、ＩＤ情報を受信する。受信機がＩＣタグのＩＤ情報を受信すると、受信されたＩＤ情報が既登録のＩＤ情報に一致するか否かが判定される。上記判定において、読み取られたＩＤ情報が既登録のＩＤ情報の何れかに一致すれば、扉の錠装置が解錠され、通行が許可される。【０００３】
このような機能を有する入退室管理システムでは、例えば、建物内で火災が発生すると、建物の内部にいる人を外に避難させるための制御が行われる。例えば、下記特許文献１には、建物内で火災が発生すると、扉の錠装置を強制的に解錠する入退室管理システムが提案されている。特許文献１に記載された入退室管理システムでは、火災が発生すると避難経路を特定し、特定した避難経路に応じて、解錠する錠装置を決定している。
【先行技術文献】
【特許文献】
【０００４】
【特許文献１】日本特開２０１０−４４６８５号公報
【発明の概要】
【発明が解決しようとする課題】
【０００５】
避難のための制御を行う入退室管理システムでは、例えば、火災等の災害が発生した際に、入退室が所定の人に制限されている部屋に、入室を許可されていない人が入ってしまう恐れがある。従来では、災害が発生して避難のための制御が行われている時に、入退室管理システムを用いて適切な警告や案内を行うことができなかった。【０００６】
この発明は、上述のような課題を解決するためになされたもので、その目的は、火災等の災害が発生した場合に、警告や案内を適切に行うことができる入退室管理システムを提供することである。
【課題を解決するための手段】
【０００７】
この発明に係る入退室管理システムは、所定の災害の発生を検出する災害検出装置と、所定の部屋への入退室を規制するための扉の近傍に設けられ、所定の検出範囲に存在するＩＣタグからＩＤ情報を受信する受信機と、通常時は、受信機が受信したＩＤ情報が既登録のＩＤ情報と一致する場合に、扉の錠装置を解錠する通常制御を行い、災害検出装置によって災害の発生が検出されると、扉の錠装置に対して所定の避難制御を行う錠制御手段と、扉の近傍に設けられた報知装置と、災害検出装置によって災害の発生が検出されると、受信機が受信したＩＤ情報に基づいて、入室を許可されていないＩＣタグが部屋に入る恐れがあるか否かを判定する判定手段と、入室を許可されていないＩＣタグが部屋に入る恐れがあることが判定手段によって判定された場合に、報知装置から、入室を許可されていない旨を報知させる警告制御手段と、を備えたものである。【０００８】
また、この発明に係る入退室管理システムは、所定の災害の発生を検出する災害検出装置と、所定場所の通行を規制するための扉の近傍に設けられ、所定の検出範囲に存在するＩＣタグからＩＤ情報を受信する受信機と、通常時は、受信機が受信したＩＤ情報が既登録のＩＤ情報と一致する場合に、扉の錠装置を解錠する通常制御を行い、災害検出装置によって災害の発生が検出されると、扉の錠装置に対して所定の避難制御を行う錠制御手段と、扉の近傍に設けられた報知装置と、災害検出装置によって災害の発生が検出されると、受信機が受信したＩＤ情報に基づいて、ＩＣタグが所定場所を通行しようとしているか否かを判定する第１判定手段と、所定場所を通行した後に続く避難経路が通行止めになっているか否かを判定する第２判定手段と、ＩＣタグが所定場所を通行しようとしていることが第１判定手段によって判定され、且つ、所定場所を通行した後に続く避難経路が通行止めになっていることが第２判定手段によって判定された場合に、報知装置から、所定場所を通らないようにする旨を報知させる警告制御手段と、を備えたものである。
【発明の効果】
【０００９】
この発明に係る入退室管理システムであれば、火災等の災害が発生した場合に、警告や案内を適切に行うことができるようになる。
【図面の簡単な説明】
【００１０】
【図１】この発明の実施の形態１における入退室管理システムの構成を示す図である。
【図２】この発明の実施の形態１における入退室管理システムの機能を説明するための平面図である。
【図３】この発明の実施の形態１における入退室管理システムの動作を示すフローチャートである。
【図４】この発明の実施の形態２における入退室管理システムの機能を説明するための平面図である。
【図５】この発明の実施の形態２における入退室管理システムの動作を示すフローチャートである。
【発明を実施するための形態】
【００１１】
添付の図面を参照して、本発明を詳細に説明する。各図において、同一又は相当する部分には、同一の符号を付している。重複する説明については、適宜簡略化或いは省略する。
【００１２】
実施の形態１．
図１はこの発明の実施の形態１における入退室管理システムの構成を示す図である。図２はこの発明の実施の形態１における入退室管理システムの機能を説明するための平面図である。図２は、本入退室管理システムが備えられた建物内部の一例を示している。
【００１３】
入退室管理システムは、センター装置１と複数のローカルコントローラ２とにより、要部が構成される。ローカルコントローラ２は、所定の通信線３を介して、センター装置１に接続されている。また、ローカルコントローラ２は、通信線３を介して、相互に（他のローカルコントローラ２に）接続されている。
【００１４】
本入退室管理システムが備えられた建物（建物の全体又は一部、建物群）では、入退室を所定の人に制限したい部屋の出入口や、通行を所定の人に制限したい通路等に、錠装置４付きの扉５が設置されている。扉５は、所定場所の通行を規制するために備えられた扉である。錠装置４は、例えば、電気錠や電子錠からなる。
【００１５】
システム内のローカルコントローラ２は、扉５毎に備えられていても良いし、複数の扉５に対応して備えられていても良い。また、システム内の一部のローカルコントローラ２のみ、１つの扉５に対応して備えられ、他のローカルコントローラ２は、複数の扉５に対応して備えられていても良い。
【００１６】
ローカルコントローラ２には、上記錠装置４の他に、受信機６、報知装置７が接続されている。
受信機６及び報知装置７は、扉５毎に設けられている。受信機６及び報知装置７は、対応の扉５の近傍（例えば、扉５に隣接する壁面等）に設置される。受信機６と報知装置７とは、一つの装置として構成されていても構わない。例えば、報知装置７は、受信機６に内蔵されていても良い。
【００１７】
受信機６は、ＩＣタグ８（図１では図示せず）からＩＤ情報を受信するための装置である。ＩＤ情報は、ＩＣタグ８（或いは、ＩＣタグ８の所有者）を特定するための情報である。受信機６は、所定の検出範囲９（図１では図示せず）に存在するＩＣタグ８から、ＩＤ情報を受信する。受信機６は、ＩＣタグ８からＩＤ情報を受信すると、その受信したＩＤ情報を、自機を特定するための機器情報とともに、ローカルコントローラ２に出力する。
【００１８】
報知装置７は、扉５の周辺にいる人に、所定の情報を報知するためのものである。報知装置７は、例えば、スピーカ等から構成される。
【００１９】
ローカルコントローラ２は、情報制御手段１０、記憶手段１１、認証手段１２、錠制御手段１３、判定手段１４、計測手段１５、警告制御手段１６を備えている。なお、図１の右側のローカルコントローラ２については、１０乃至１６に示す各手段の記載を省略している。
情報制御手段１０は、ローカルコントローラ２において、情報の送受信を制御する。
【００２０】
記憶手段１１には、そのローカルコントローラ２に割り当てられている扉５の通行を許可された人（通行許可者）の情報が、扉５（受信機６）毎に記憶されている。例えば、記憶手段１１は、認証データとして、ＩＤ情報（個人情報）と機器情報とを備えている。即ち、記憶手段１１には、通行許可者に割り当てられたＩＣタグ８のＩＤ情報（以下、単に「通行許可者のＩＤ情報」ともいう）が、扉５（受信機６）毎に予め登録されている。
【００２１】
認証手段１２は、扉５を通行しようとしている人（通行者）が、通行許可者であるか否かを判定する。具体的に、認証手段１２は、情報制御手段１０が受信機６からＩＤ情報と機器情報とを受信すると、受信機６が受信したＩＤ情報が、当該扉５（受信機６）の通行許可者のＩＤ情報として、記憶手段１１に登録されているか否かを判定する。認証手段１２は、受信機６が受信したＩＤ情報が、既登録のＩＤ情報に一致する場合に、そのＩＣタグ８を携帯する通行者が、当該扉５の通行許可者であることを判定する。
【００２２】
錠制御手段１３は、錠装置４を制御する。通常時、錠制御手段１３は、通常制御を行う。通常制御では、錠制御手段１３は、基本的に錠装置４を施錠し、扉５が開放されることを阻止する。また、錠制御手段１３は、通行者が通行許可者であることが認証手段１２によって判定されると、そのＩＣタグ８を携帯する通行者の通行を許可し、対応の扉５の錠装置４を解錠する。通常制御が実施されている場合、社員等、予め通行が許可されている人は、自分のＩＣタグ８を携帯して受信機６に接近すれば、自動的に通行許可者と判定され、対応の扉５が開放される（或いは、対応の扉５が開放可能な状態になる）。
【００２３】
判定手段１４は、受信機６が受信したＩＤ情報に基づいて、通行が規制されている場所の通行（入退室が規制されている部屋への入退室も含む）に関する所定の判定を行う。例えば、判定手段１４は、受信機６が受信したＩＤ情報に基づいて、通行を許可されていないＩＣタグ８（を携帯する人：即ち、通行不許可者）が通行規制場所を通行しようとしているか否かを判定する。また、判定手段１４は、受信機６が受信したＩＤ情報に基づいて、通行を許可されていないＩＣタグ８が通行規制場所を通行したか否かを判定する。
以下に、図２に示す例を参照して、判定手段１４の機能について具体的に説明する。
【００２４】
図２において、１８は入退室が所定の人（例えば、一部の社員）に制限されている部屋である。１９は部屋１８に隣接する通路である。部屋１８の出入口には、扉５が設けられている。扉５は、錠装置４によって解錠及び施錠される。また、扉５の近傍には、受信機６及び報知装置７が設置されている。
【００２５】
判定手段１４は、受信機６の検出範囲９内にＩＣタグ８が存在する場合に、そのＩＣタグ８が、部屋１８の外側（即ち、扉５よりも通路１９側）に存在するのか、或いは、部屋１８の内側（扉５よりも部屋１８側）に存在するのかを判定する機能を備えている。
【００２６】
かかる機能を実現するため、受信機６には、例えば、アンテナ６ａ（第１受信手段）とアンテナ６ｂ（第２受信手段）とが備えられる。アンテナ６ａは、検出範囲９内に存在するＩＣタグ８のうち、部屋１８の外側に存在するＩＣタグ８からＩＤ情報を受信する。アンテナ６ｂは、検出範囲９内に存在するＩＣタグ８のうち、部屋１８の内側に存在するＩＣタグ８からＩＤ情報を受信する。判定手段１４は、アンテナ６ａがＩＤ情報を受信した場合は、そのＩＣタグ８が部屋１８の外側に存在することを判定する。また、判定手段１４は、アンテナ６ｂがＩＤ情報を受信した場合は、そのＩＣタグ８が部屋１８の内側に存在することを判定する。
なお、受信機６の構成は、上記に限定されるものではない。
【００２７】
一例として、図２に示す通行者Ａが通路１９から部屋１８に入る場合を考える。
通行者Ａ（が携帯するＩＣタグ８）が通路１９において受信機６の検出範囲９に入ると、そのＩＣタグ８のＩＤ情報が、アンテナ６ａによって受信される。これにより、判定手段１４は、通行者Ａ（が携帯するＩＣタグ８）が部屋１８に入ろうとしていることを判定する。その後、通行者Ａが出入口を通過して部屋１８に入ると、携帯するＩＣタグ８のＩＤ情報が、アンテナ６ｂによって受信される。これにより、判定手段１４は、通行者Ａ（が携帯するＩＣタグ８）が部屋１８に入ったことを判定する。
【００２８】
また、図２に示す通行者Ｂが部屋１８から通路１９に出る場合、通行者Ｂ（が携帯するＩＣタグ８）が部屋１８において受信機６の検出範囲９に入ると、そのＩＣタグ８のＩＤ情報が、アンテナ６ｂによって受信される。これにより、判定手段１４は、通行者Ｂ（が携帯するＩＣタグ８）が部屋１８から出ようとしていることを判定する。その後、通行者Ｂが出入口を通過して部屋１８から出ると、携帯するＩＣタグ８のＩＤ情報が、アンテナ６ａによって受信される。これにより、判定手段１４は、通行者Ｂ（が携帯するＩＣタグ８）が部屋１８から出たことを判定する。
【００２９】
アンテナ６ａ及び６ｂの双方の受信結果を考慮することにより、ＩＣタグ８が部屋１８に入ろうとしているのか、或いは、部屋１８から出たのかを、より正確に判定することもできる。例えば、判定手段１４は、アンテナ６ａがＩＤ情報を受信した場合に、その直前の所定時間内に、アンテナ６ｂが同一のＩＤ情報を受信していれば、そのＩＤ情報を有するＩＣタグ８が、部屋１８から出たことを判定する。一方、判定手段１４は、アンテナ６ａがＩＤ情報を受信した場合に、その直前の所定時間内に、アンテナ６ｂが同一のＩＤ情報を受信していなければ、そのＩＤ情報を有するＩＣタグ８が、部屋１８に入ろうとしていることを判定する。
【００３０】
計測手段１５は、ＩＣタグ８（を携帯する人）が、入退室が所定の人に制限されている部屋（即ち、制限区域）に滞在している時間を計測する。例えば、図２に示す例であれば、計測手段１５は、ＩＣタグ８が部屋１８に入ったことが判定手段１４によって判定されると、そのＩＣタグ８について、滞在時間の計測を開始する。また、計測手段１５は、ＩＣタグ８が部屋１８から出たことが判定手段１４によって判定されると、上記滞在時間の計測を終了する。情報制御手段１０は、計測手段１５によって計測された滞在時間に関する情報を、センター装置１に送信する。センター装置１では、受信した滞在時間の情報を、ＩＣタグ８（ＩＤ情報）毎に在室情報として管理する。例えば、在室情報として、ＩＤ情報、滞在していた部屋を特定するための情報、滞在時間が紐付けて記憶される。
【００３１】
警告制御手段１６は、所定の警告を行うためのものである。例えば、所定の条件が成立すると、警告制御手段１６は、報知装置７からアナウンスを行わせ、扉５の近くにいる人に所定の内容を報知する。また、警告制御手段１６は、情報制御手段１０を介して、センター装置１に所定の通報を行う。センター装置１では、受信した通報を、ＩＣタグ８（ＩＤ情報）毎に警報履歴として管理する。
【００３２】
一部のローカルコントローラ２には、錠装置４、受信機６、報知装置７の他に、火災感知装置１７が接続されている。
火災感知装置１７は、例えば、熱や煙を感知して、火災の発生を検出する。火災感知装置１７は、火災の発生を検出すると、火災発生情報を、接続されているローカルコントローラ２に出力する。火災感知装置１７から火災発生情報を直接受信したローカルコントローラ２では、情報制御手段１０が、センター装置１や他のローカルコントローラ２に、火災発生情報を配信する。
【００３３】
火災感知装置１７は、災害の発生を検出する装置（災害検出装置）の一例として示している。本システムに他の種類の災害検出装置が備えられている場合は、その災害検出装置から出力される災害発生情報に基づいて、本実施の形態における制御と同様の制御を実施すれば良い。
【００３４】
ローカルコントローラ２では、火災感知装置１７から火災発生情報を受信すると、通行を所定の人に制限する上記通常制御を終了し、建物内の人を建物の外に避難させるための避難制御を開始する。
【００３５】
避難制御では、錠制御手段１３は、例えば、錠装置４を常に解錠した状態に保持する。これにより、建物内の人は、扉５によって通行を制限されることなく、建物内を自由に通行することができるようになる。なお、避難制御が開始された後でも、一部の錠装置４については、上記通常制御の時と同様に、解錠のために認証手段１２による認証を要求しても良い。また、一部の錠装置４については、通行方向や経過時間等に応じて、錠装置４の解錠や施錠を制御しても良い。
避難制御が行われている時の具体的な内容については、後述する。
【００３６】
センター装置１は、各ローカルコントローラ２を管理する。
センター装置１には、ＩＤ情報を新規に登録する機能が備えられている。例えば、センター装置１は、所定の入力装置（図示せず）から新規登録情報が入力されると、内部のＩＤ情報と機器情報とを、入力された新規登録情報に合わせて更新する。また、センター装置１は、対応のローカルコントローラ２に対して、上記新規登録情報を配信する。センター装置１から新規登録情報を受信したローカルコントローラ２では、受信した新規登録情報に基づいて記憶手段１１の記憶内容を書き換え、通行許可者の情報を更新する。
また、センター装置１は、通行権限や在室情報、警報履歴を管理する。
【００３７】
次に、図３も参照し、本入退室管理システムの動作（特に、火災の発生が検出された後の動作）について、具体的に説明する。図３はこの発明の実施の形態１における入退室管理システムの動作を示すフローチャートである。
【００３８】
ローカルコントローラ２では、情報制御手段１０が、火災感知装置１７から火災発生情報を受信したか否かを判定する（Ｓ１０１）。火災感知装置１７が火災の発生を検出していなければ、情報制御手段１０は、火災発生情報を受信しない（Ｓ１０１のＮｏ）。かかる場合、ローカルコントローラ２では、通常制御を行う（Ｓ１０２）。通常制御が行われている時、錠制御手段１３は、例えば、認証手段１２の認証結果に基づいて錠装置４を制御する。
【００３９】
火災感知装置１７は、火災の発生を検出すると、特定のローカルコントローラ２に火災発生情報を送信する（Ｓ１０１のＹｅｓ）。火災発生情報を火災感知装置１７から直接受信したローカルコントローラ２では、情報制御手段１０が、センター装置１と他のローカルコントローラ２とに対し、火災発生情報（或いは、火災発生情報を受信した旨の情報）を配信する。
【００４０】
ローカルコントローラ２では、火災発生情報（或いは、その旨の情報）を受信すると、通常制御を終了し、所定の避難制御を開始する（Ｓ１０３）。避難制御が開始されると、錠制御手段１３は、例えば、錠装置４を常に解錠した状態に保持する。
【００４１】
避難制御が開始された後も、受信機６は、検出範囲９内に存在するＩＣタグ８から、ＩＤ情報を受信する。受信機６は、ＩＣタグ８からＩＤ情報を受信すると、その受信したＩＤ情報と自機の機器情報とを、ローカルコントローラ２に出力する。ローカルコントローラ２では、火災発生情報の受信後に、情報制御手段１０が受信機６からＩＤ情報を受信すると、判定手段１４が、通常制御の時には実施しない特有の判定を行う。
【００４２】
例えば、図２に示す例において、避難制御が開始された後に情報制御手段１０が受信機６からＩＤ情報を受信すると、判定手段１４は、そのＩＤ情報を有するＩＣタグ８が、部屋１８の外に存在するのか、部屋１８の中に存在するのかを判定する。かかる判定は、例えば、上記ＩＤ情報がアンテナ６ａによって受信されたのか否かによって行う（Ｓ１０４）。アンテナ６ａがＩＤ情報を受信した場合（Ｓ１０４のＹｅｓ）、判定手段１４は、そのＩＣタグ８（を携帯する人）が部屋１８に入ろうとしていることを判定する。
【００４３】
また、ローカルコントローラ２では、避難制御が開始された後に情報制御手段１０が受信機６からＩＤ情報を受信すると、認証手段１２が、そのＩＣタグ８が入室を許可されているか（即ち、通行者が入室許可者であるか）否かを判定する（Ｓ１０５）。入室を許可されているＩＣタグ８（を携帯する人）が、火災発生時に部屋１８に入っても特に問題は生じない。このため、Ｓ１０４で受信機６が受信したＩＤ情報が、既登録のＩＤ情報に一致すれば（Ｓ１０５のＹｅｓ）、ローカルコントローラ２は処理を終了する。
【００４４】
一方、避難制御が行われている間は、例えば、部屋１８に入るための扉５を誰でも開けることができる。このため、Ｓ１０４で受信機６が受信したＩＤ情報が、既登録のＩＤ情報に一致しない場合（Ｓ１０５のＮｏ）、判定手段１４は、入室を許可されていないＩＣタグ８（を携帯する人）が、部屋１８に入る恐れがあることを判定する。かかる場合、警告制御手段１６は、所定の警告を行う（Ｓ１０６）。例えば、警告制御手段１６は、Ｓ１０４でＩＤ情報を受信した受信機６に対応する報知装置７から、入室を許可されていない旨を報知させる。
【００４５】
Ｓ１０４において、入室を許可されていないＩＣタグ８から、アンテナ６ａがＩＤ情報を受信すると（Ｓ１０５のＮｏ）、判定手段１４は、アンテナ６ａがそのＩＤ情報を受信しなくなったか否かを判定する（Ｓ１０７）。ＩＣタグ８（を携帯する人）がアンテナ６ａの受信範囲（検出範囲９の一部）から外れると、アンテナ６ａは、上記ＩＤ情報を受信しなくなる（Ｓ１０７のＹｅｓ）。かかる場合、判定手段１４は、そのＩＤ情報を有するＩＣタグ８（を携帯する人：入室不許可者）が、部屋１８に入ったか否かを判定する（Ｓ１０８）。
【００４６】
ＩＣタグ８（を携帯する人）が通路１９側から部屋１８の出入口を通過すると、Ｓ１０４でアンテナ６ａが受信したＩＤ情報が、Ｓ１０７の直後に、アンテナ６ｂによって受信される。このため、Ｓ１０８においてアンテナ６ｂが上記ＩＤ情報を受信すると、判定手段１４は、入室を許可されていないＩＣタグ８（を携帯する人：入室不許可者）が、部屋１８に入ったことを判定する（Ｓ１０８のＹｅｓ）。
【００４７】
かかる場合、警告制御手段１６は、Ｓ１０６で行った警告とは異なる内容の警告を行う。例えば、警告制御手段１６は、センター装置１に通報を行う（Ｓ１０９）。センター装置１では、受信した通報の情報に基づいて、警報履歴を更新する。
【００４８】
ＩＣタグ８（を携帯する人）が部屋１８の前を単に通過しただけでは、そのＩＣタグ８のＩＤ情報は、アンテナ６ｂによって受信されない。このため、Ｓ１０７でアンテナ６ａによって受信されなくなったＩＤ情報が、その後にアンテナ６ｂによって受信されなければ、判定手段１４は、入室を許可されていないＩＣタグ８（を携帯する人：入室不許可者）が、部屋１８に入っていないことを判定する（Ｓ１０８のＮｏ）。かかる場合、警告制御手段１６は、Ｓ１０６において開始した警告を停止させる（Ｓ１１０）。
【００４９】
Ｓ１０８で入室不許可者の入室が判定された場合、Ｓ１０６で開始された警告は、その後も継続される。かかる場合は、例えば、その後に、判定手段１４によって上記入室不許可者の退室が判定されると、警告制御手段１６は、上記警告を停止させる。
【００５０】
また、Ｓ１０８において、入室を許可されていないＩＣタグ８が部屋１８に入ったことが判定されると、計測手段１５は、そのＩＣタグ８が部屋１８に滞在している時間を計測する。計測手段１５は、当該ＩＣタグ８が部屋１８から出ることによって上記滞在時間の計測を終了する。情報制御手段１０は、計測手段１５が滞在時間の計測を終了すると、その計測結果をセンター装置１に送信する。
【００５１】
上記構成を有する入退室管理システムであれば、建物内で火災が発生した際に、扉５の近傍に設置された受信機６を利用して、警告や案内を適切に行うことができる。
【００５２】
例えば、火災が発生して建物内の人が避難している時に、入室不許可者が、入退室が所定の人に制限されている部屋に入ろうとした場合は、その入室不許可者が扉５に接近しただけで、報知装置７から、入室を許可されていない旨が報知される。このため、混乱に乗じて行われる不正行為を、未然に防止することができる。
【００５３】
更に、火災発生後に、入室不許可者が、入退室が所定の人に制限されている部屋に入ってしまった場合は、センター装置１に対して所定の通報が行われる。また、報知装置７からの報知（警告）は、入室不許可者が部屋に入った後も継続される。このため、不正行為を早期に発見して、被害を最小限に抑えることができる。
【００５４】
実施の形態２．
本実施の形態では、上記構成の入退室管理システムを利用して、避難している人に適切な案内を行うための構成について説明する。
【００５５】
本実施の形態における入退室管理システムでは、図１に示す構成に加え、センター装置１に、機器判定手段（図示せず）が備えられている。機器判定手段は、各機器が正常に動作しているか否かを判定する機能を備えている。また、各ローカルコントローラ２に、避難経路判定手段（図示せず）が備えられている。避難経路判定手段は、火災感知装置１７によって火災の発生が検出されて避難制御が行われている時に、避難先が通行止めになっているか否かを判定する機能を備えている。
その他の構成は、実施の形態１と同様である。
【００５６】
以下に、図４及び図５も参照し、本入退室管理システムの機能（特に、火災の発生が検出された後の動作）について具体的に説明する。図４はこの発明の実施の形態２における入退室管理システムの機能を説明するための平面図である。図４は、本入退室管理システムが備えられた建物内部の一例を示している。図５はこの発明の実施の形態２における入退室管理システムの動作を示すフローチャートである。
【００５７】
図４において、２０及び２１は建物内の通路、２２乃至２４は通路２０から直接出入りすることができる部屋である。通路２０から部屋２２乃至２４に出入りするための各出入口には、錠装置４付きの扉５が設置されている。２５及び２６は通路２１から直接出入りすることができる部屋である。通路２１から部屋２５及び２６に出入りするための各出入口には、錠装置４付きの扉５が設置されている。部屋２３及び２５は隣接しており、出入口を介して直接行き来することができる。また、部屋２４及び２６も隣接しており、出入口を介して直接行き来することができる。これらの出入口にも、錠装置４付きの扉５が設置されている。
【００５８】
なお、上記扉５について、個別に特定する必要がある場合、符号の後に、図４に示すようにａ乃至ｇを付して表記する。例えば、通路２０から部屋２２に出入りするための出入口を開閉する扉は５ａ、部屋２４及び２６を行き来するための出入口を開閉する扉は５ｇと表記する。また、説明を容易にするため、図４に示す扉５は、それぞれが異なるローカルコントローラ２によって管理されているものとする。即ち、ローカルコントローラ２は、扉５毎に備えられている。また、図４に示す区域に、他の扉５は存在しない。
【００５９】
各扉５の近傍には、報知装置７を内蔵した受信機６（図示せず）が設置されている。
【００６０】
各ローカルコントローラ２では、火災が発生したか否かを判定する（Ｓ２０１）。火災感知装置１７が火災の発生を検出していなければ（Ｓ２０１のＮｏ）、ローカルコントローラ２は、通常制御を行う（Ｓ２０２）。
【００６１】
火災感知装置１７は、火災の発生を検出すると、特定のローカルコントローラ２に火災発生情報を送信する（Ｓ２０１のＹｅｓ）。火災発生情報を火災感知装置１７から直接受信したローカルコントローラ２では、情報制御手段１０が、センター装置１と他のローカルコントローラ２とに対し、火災発生情報を配信する。センター装置１及び各ローカルコントローラ２では、火災発生情報を受信すると、通常制御を終了し、所定の避難制御を開始する（Ｓ２０３）。
【００６２】
センター装置１では、火災発生情報を受信すると、機器判定手段が、接続されている各機器が正常に動作しているか否かを判定する（Ｓ２０４）。例えば、機器判定手段は、センター装置１がローカルコントローラ２から所定の故障情報を受信すると、受信した故障情報に基づいて、正常動作しない機器（即ち、制御不能な扉５）を特定する。また、機器判定手段は、センター装置１との通信を行うことができないローカルコントローラ２が存在する場合、そのローカルコントローラ２が管理する扉５を、制御不能な扉（正常動作しない機器）として特定する。機器判定手段は、正常動作しない機器を特定すると、その特定結果（異常情報）を各ローカルコントローラ２に送信する。
【００６３】
全ての扉５が正常動作しており、制御不能な扉５が存在しなければ、センター装置１及び各ローカルコントローラ２は、処理を終了する（Ｓ２０４のＮｏ）。
【００６４】
また、避難制御が開始された後も、受信機６は、検出範囲９内に存在するＩＣタグ８から、ＩＤ情報を受信する。受信機６は、ＩＣタグ８からＩＤ情報を受信すると（Ｓ２０５のＹｅｓ）、その受信したＩＤ情報と自機の機器情報とを、ローカルコントローラ２に出力する。
【００６５】
ローカルコントローラ２では、火災発生情報を受信した後、判定手段１４が、ＩＣタグ８（を携帯する人）が対応の扉５（通行規制場所）を通行しようとしているか否かを判定する。
【００６６】
具体的に、判定手段１４は、火災発生情報の受信後に情報制御手段１０が受信機６からＩＤ情報を受信すると、先ず、そのＩＤ情報を有するＩＣタグ８が、扉５の一側に存在するのか、扉５の他側に存在するのかを判定する。例えば、扉５ａを管理するローカルコントローラ２が受信機６からＩＤ情報を受信した場合、そのローカルコントローラ２の判定手段１４は、ＩＣタグ８が、扉５ａよりも部屋２２側に存在するのか、扉５ａよりも通路２０側に存在するのかを判定する。
【００６７】
かかる判定は、例えば、上記受信機６が、アンテナ６ａ及び６ｂを備えることによって簡単に実現できる。扉５ａに対応する受信機６は、検出範囲９が扉５ａの周囲に設定される。アンテナ６ａは、上記検出範囲９内に存在するＩＣタグ８のうち、扉５ａよりも部屋２２側に存在するＩＣタグ８からＩＤ情報を受信する。アンテナ６ｂは、上記検出範囲９内に存在するＩＣタグ８のうち、扉５ａよりも通路２０側に存在するＩＣタグ８からＩＤ情報を受信する。
【００６８】
直前の所定時間内で受信機６が初めてＩＤ情報を受信したＩＣタグ８については、判定手段１４は、対応の扉５を通過しようとしていることを判定する。例えば、アンテナ６ａがＩＤ情報を受信した場合、判定手段１４は、そのＩＣタグ８が、部屋２２から通路２０側に通行しようとしていることを判定する。また、判定手段１４は、アンテナ６ｂがＩＤ情報を受信した場合、そのＩＣタグ８が、通路２０から部屋２２側に通行しようとしていることを判定する。
【００６９】
また、ローカルコントローラ２では、センター装置１（機器判定手段）から異常情報を受信すると、避難経路判定手段が、管理する扉５（通行規制場所）を通行した後に続く避難経路が通行止めになっているか否かを判定する（Ｓ２０６）。
【００７０】
例えば、センター装置１から、扉５ｇが制御できない旨の異常情報が配信された場合を考える。
かかる場合、避難している人が通路２０から部屋２４に入っても、その避難者はその先（部屋２６）に進むことはできない、即ち、この避難者は、再び扉５ｃを通って通路２０に戻らなければならない。このため、扉５ｃを管理するローカルコントローラ２では、扉５ｇが制御できない旨の異常情報を受信すると、避難経路判定手段が、扉５ｃの部屋２４側から続く避難経路が通行止めになっていることを判定する。なお、避難者が部屋２４から扉５ｃ（通行規制場所）を通過して通路２０側に出る場合は、避難者は、その後、扉５ａや５ｂを通過して他の場所に行くことができる。このため、避難経路判定手段は、扉５ｇが制御できない旨の異常情報を受信しても、扉５ｃの通路２０側から続く避難経路については、通行止めになっていないことを判定する。
【００７１】
ローカルコントローラ２の警告制御手段１６は、判定手段１４及び避難経路判定手段の各判定結果に基づいて、所定の警告（案内）を行う。具体的に、警告制御手段１６は、ＩＣタグ８が対応の扉５（通行規制場所）を通行しようとしていることが判定手段１４によって判定され、且つ、その扉５（通行規制場所）を通行した後に続く避難経路が通行止めになっていることが避難経路判定手段によって判定された場合に（Ｓ２０６のＹｅｓ）、報知装置７から、その扉５（通行規制場所）を通らないようにする旨を報知させる（Ｓ２０７）。
【００７２】
例えば、センター装置１から、扉５ｇが制御できない旨の異常情報が配信されると、扉５ｃを管理するローカルコントローラ２では、上述したように、避難経路判定手段が、扉５ｃの部屋２４側から続く避難経路が通行止めになっていることを判定する。かかる場合、扉５ｃを管理するローカルコントローラ２では、アンテナ６ｂがＩＤ情報を受信し、判定手段１４によって、そのＩＣタグ８が、通路２０から部屋２４側に通行しようとしていることが判定されると、警告制御手段１６が、報知装置７から、扉５ｃを通った後の経路が通行止めになっていることをアナウンスさせる。
【００７３】
なお、上記例においては、扉５ｃに対応して設けられた受信機６は、アンテナ６ａ及び６ｂを備えているものとする。また、アンテナ６ａは、扉５ｃよりも部屋２４側に存在するＩＣタグ８からＩＤ情報を受信し、アンテナ６ｂは、扉５ｃよりも通路２０側に存在するＩＣタグ８からＩＤ情報を受信するものとする。
【００７４】
また、扉５ｃを管理するローカルコントローラ２では、避難者が扉５ｃに対して反対側（部屋２４の内部側）から接近した場合も、避難経路判定手段の判定結果に基づいて、同様の制御を行う。
【００７５】
ローカルコントローラ２では、警告制御手段１６がＳ２０７で警告を開始した後、受信機６が、Ｓ２０５で受信したＩＤ情報を受信しなくなるまで、上記警告を継続させる。そして、Ｓ２０５で受信したＩＤ情報が受信機６によって受信されなくなると、警告制御手段１６は、Ｓ２０７において開始した警告を停止させる（Ｓ２０９）。
【００７６】
各ローカルコントローラ２では、上記制御と並行して、図３に示した制御を行っても良い。
【００７７】
上記構成を有する入退室管理システムであれば、扉５の近傍に設置された受信機６を利用して、火災時に、避難している人への案内を適切に行うことができる。例えば、避難している人は、部屋に入る前に、その部屋に入った後の避難経路が通行止めになっていることを知ることができる。このため、避難に要する時間を大幅に短縮させることが可能となる。
【００７８】
通行許可者として登録されている人（例えば、社員等）は、建物内を自由に移動するため、建物内で自分のＩＣタグ８を常に携帯していることが多い。このため、そのＩＣタグ８を利用すれば、火災時でも、建物内の人に対して適切な案内を行うことができる。
【００７９】
本実施の形態では、機器判定手段をセンター装置１に備える場合について説明した。しかし、これは単に一例を示したものである。システム内のローカルコントローラ２は、通信線３を介して相互に情報の送受信を行うことができる。このため、所定のローカルコントローラ２（或いは、各ローカルコントローラ２）に、機器判定手段の機能を備えさせても良い。
【産業上の利用可能性】
【００８０】
この発明に係る入退室管理システムは、ＩＣタグを用いて入退室の管理を行うシステムに適用することができる。
【符号の説明】
【００８１】
１  センター装置
２  ローカルコントローラ
３  通信線
４  錠装置
５  扉
６  受信機
６ａ、６ｂ  アンテナ
７  報知装置
８  ＩＣタグ
９  検出範囲
１０  情報制御手段
１１  記憶手段
１２  認証手段
１３  錠制御手段
１４  判定手段
１５  計測手段
１６  警告制御手段
１７  火災感知装置
１８、２２、２３、２４、２５、２６  部屋
１９、２０、２１  通路
【図１】
2013094022.tif 000003
【図２】
2013094022.tif 000004
【図３】
2013094022.tif 000005
【図４】
2013094022.tif 000006
【図５】
2013094022.tif 000007
【手続補正書】
【提出日】平成25年12月11日(2013.12.11)
【手続補正１】
【補正対象書類名】特許請求の範囲
【補正対象項目名】全文
【補正方法】変更
【補正の内容】
【特許請求の範囲】
【請求項１】
所定の災害の発生を検出する災害検出装置と、
所定の部屋への入退室を規制するための扉の近傍に設けられ、所定の検出範囲に存在するＩＣタグからＩＤ情報を受信する受信機と、
通常時は、前記受信機が受信したＩＤ情報が既登録のＩＤ情報と一致する場合に、前記扉の錠装置を解錠する通常制御を行い、前記災害検出装置によって災害の発生が検出されると、前記扉の錠装置に対して所定の避難制御を行う錠制御手段と、
前記扉の近傍に設けられた報知装置と、
前記災害検出装置によって災害の発生が検出されると、前記受信機が受信したＩＤ情報に基づいて、入室を許可されていないＩＣタグが前記部屋に入る恐れがあるか否かを判定する判定手段と、
入室を許可されていないＩＣタグが前記部屋に入る恐れがあることが前記判定手段によって判定された場合に、前記報知装置から、入室を許可されていない旨を報知させる警告制御手段と、
を備え、
前記判定手段は、前記災害検出装置によって災害の発生が検出されると、前記受信機が受信したＩＤ情報に基づいて、入室を許可されていないＩＣタグが前記部屋に入ったか否かを判定し、
前記警告制御手段は、入室を許可されていないＩＣタグが前記部屋に入ったことが前記判定手段によって判定されると、所定のセンター装置に通報する
入退室管理システム。
【請求項２】
前記受信機は、
前記部屋の外側に存在するＩＣタグからＩＤ情報を受信するための第１受信手段と、
前記部屋の内側に存在するＩＣタグからＩＤ情報を受信するための第２受信手段と、
を備え、
前記判定手段は、
入室を許可されていないＩＣタグから、前記第１受信手段がＩＤ情報を受信した場合に、入室を許可されていないＩＣタグが前記部屋に入る恐れがあることを判定し、
入室を許可されていないＩＣタグから、前記第２受信手段がＩＤ情報を受信した場合に、入室を許可されていないＩＣタグが前記部屋に入ったことを判定する
請求項１に記載の入退室管理システム。
【請求項３】
前記警告制御手段は、入室を許可されていないＩＣタグが前記部屋に入る恐れがあることが前記判定手段によって判定された場合は、入室を許可されていないＩＣタグが前記部屋に入ったことが前記判定手段によって判定された後も、前記報知装置から、入室を許可されていない旨を報知させる請求項１又は請求項２に記載の入退室管理システム。
【請求項４】
入室を許可されていないＩＣタグが前記部屋に入ったことが前記判定手段によって判定されてから、そのＩＣタグが前記部屋から出るまでの時間を計測し、計測結果を前記センター装置に送信させる計測手段と、
を備えた請求項１又は請求項２に記載の入退室管理システム。
【請求項５】
所定の災害の発生を検出する災害検出装置と、
所定場所の通行を規制するための扉の近傍に設けられ、所定の検出範囲に存在するＩＣタグからＩＤ情報を受信する受信機と、
通常時は、前記受信機が受信したＩＤ情報が既登録のＩＤ情報と一致する場合に、前記扉の錠装置を解錠する通常制御を行い、前記災害検出装置によって災害の発生が検出されると、前記扉の錠装置に対して所定の避難制御を行う錠制御手段と、
前記扉の近傍に設けられた報知装置と、
前記災害検出装置によって災害の発生が検出されると、前記受信機が受信したＩＤ情報に基づいて、ＩＣタグが前記所定場所を通行しようとしているか否かを判定する第１判定手段と、
前記所定場所を通行した後に続く避難経路が通行止めになっているか否かを判定する第２判定手段と、
ＩＣタグが前記所定場所を通行しようとしていることが前記第１判定手段によって判定され、且つ、前記所定場所を通行した後に続く避難経路が通行止めになっていることが前記第２判定手段によって判定された場合に、前記報知装置から、前記所定場所を通らないようにする旨を報知させる警告制御手段と、
を備えた入退室管理システム。
【請求項６】
前記受信機は、
前記扉の一側に存在するＩＣタグからＩＤ情報を受信するための第１受信手段と、
前記扉の他側に存在するＩＣタグからＩＤ情報を受信するための第２受信手段と、
を備え、
前記第２判定手段は、前記扉の他側から続く避難経路が通行止めになっているか否かを判定し、
前記警告制御手段は、前記第１受信手段がＩＣタグからＩＤ情報を受信し、且つ、前記扉の他側から続く避難経路が通行止めになっていることが前記第２判定手段によって判定された場合に、前記報知装置から、前記所定場所を通らないようにする旨を報知させる
請求項５に記載の入退室管理システム。
【請求項７】
前記第２判定手段は、前記扉の一側から続く避難経路が通行止めになっているか否かを判定し、
前記警告制御手段は、前記第２受信手段がＩＣタグからＩＤ情報を受信し、且つ、前記扉の一側から続く避難経路が通行止めになっていることが前記第２判定手段によって判定された場合に、前記報知装置から、前記所定場所を通らないようにする旨を報知させる
請求項６に記載の入退室管理システム。
【手続補正２】
【補正対象書類名】明細書
【補正対象項目名】０００７
【補正方法】変更
【補正の内容】
【０００７】
この発明に係る入退室管理システムは、所定の災害の発生を検出する災害検出装置と、所定の部屋への入退室を規制するための扉の近傍に設けられ、所定の検出範囲に存在するＩＣタグからＩＤ情報を受信する受信機と、通常時は、受信機が受信したＩＤ情報が既登録のＩＤ情報と一致する場合に、扉の錠装置を解錠する通常制御を行い、災害検出装置によって災害の発生が検出されると、扉の錠装置に対して所定の避難制御を行う錠制御手段と、扉の近傍に設けられた報知装置と、災害検出装置によって災害の発生が検出されると、受信機が受信したＩＤ情報に基づいて、入室を許可されていないＩＣタグが部屋に入る恐れがあるか否かを判定する判定手段と、入室を許可されていないＩＣタグが部屋に入る恐れがあることが判定手段によって判定された場合に、報知装置から、入室を許可されていない旨を報知させる警告制御手段と、を備え、判定手段は、災害検出装置によって災害の発生が検出されると、受信機が受信したＩＤ情報に基づいて、入室を許可されていないＩＣタグが部屋に入ったか否かを判定し、警告制御手段は、入室を許可されていないＩＣタグが部屋に入ったことが判定手段によって判定されると、所定のセンター装置に通報するものである。
【手続補正書】
【提出日】平成26年12月16日(2014.12.16)
【手続補正１】
【補正対象書類名】特許請求の範囲
【補正対象項目名】請求項１
【補正方法】変更
【補正の内容】
【請求項１】
所定の災害の発生を検出する災害検出装置と、
所定の部屋への入退室を規制するための扉の近傍に設けられ、所定の検出範囲に存在するＩＣタグからＩＤ情報を受信する受信機と、
通常時は、前記受信機が受信したＩＤ情報が既登録のＩＤ情報と一致する場合に、前記扉の錠装置を解錠する通常制御を行い、前記災害検出装置によって災害の発生が検出されると、前記扉の錠装置を解錠した状態に保持する避難制御を行う錠制御手段と、
前記扉の近傍に設けられた報知装置と、
前記災害検出装置によって災害の発生が検出されると、前記受信機が受信したＩＤ情報に基づいて、入室を許可されていないＩＣタグが前記部屋に入る恐れがあるか否かを判定する判定手段と、
入室を許可されていないＩＣタグが前記部屋に入る恐れがあることが前記判定手段によって判定された場合に、前記報知装置から、入室を許可されていない旨を報知させる警告制御手段と、
を備え、
前記判定手段は、前記災害検出装置によって災害の発生が検出されると、前記受信機が受信したＩＤ情報に基づいて、入室を許可されていないＩＣタグが前記部屋に入ったか否かを判定し、
前記警告制御手段は、入室を許可されていないＩＣタグが前記部屋に入ったことが前記判定手段によって判定されると、所定のセンター装置に通報する
入退室管理システム。
【手続補正２】
【補正対象書類名】特許請求の範囲
【補正対象項目名】請求項５
【補正方法】変更
【補正の内容】
【請求項５】
所定の災害の発生を検出する災害検出装置と、
所定場所の通行を規制するための扉の近傍に設けられ、所定の検出範囲に存在するＩＣタグからＩＤ情報を受信する受信機と、
通常時は、前記受信機が受信したＩＤ情報が既登録のＩＤ情報と一致する場合に、前記扉の錠装置を解錠する通常制御を行い、前記災害検出装置によって災害の発生が検出されると、前記扉の錠装置を解錠した状態に保持する避難制御を行う錠制御手段と、
前記扉の近傍に設けられた報知装置と、
前記災害検出装置によって災害の発生が検出されると、前記受信機が受信したＩＤ情報に基づいて、ＩＣタグが前記所定場所を通行しようとしているか否かを判定する第１判定手段と、
前記所定場所を通行した後に続く避難経路が通行止めになっているか否かを判定する第２判定手段と、
ＩＣタグが前記所定場所を通行しようとしていることが前記第１判定手段によって判定され、且つ、前記所定場所を通行した後に続く避難経路が通行止めになっていることが前記第２判定手段によって判定された場合に、前記報知装置から、前記所定場所を通らないようにする旨を報知させる警告制御手段と、
を備えた入退室管理システム。
【手続補正３】
【補正対象書類名】明細書
【補正対象項目名】０００７
【補正方法】変更
【補正の内容】
【０００７】
この発明に係る入退室管理システムは、所定の災害の発生を検出する災害検出装置と、所定の部屋への入退室を規制するための扉の近傍に設けられ、所定の検出範囲に存在するＩＣタグからＩＤ情報を受信する受信機と、通常時は、受信機が受信したＩＤ情報が既登録のＩＤ情報と一致する場合に、扉の錠装置を解錠する通常制御を行い、災害検出装置によって災害の発生が検出されると、扉の錠装置を解錠した状態に保持する避難制御を行う錠制御手段と、扉の近傍に設けられた報知装置と、災害検出装置によって災害の発生が検出されると、受信機が受信したＩＤ情報に基づいて、入室を許可されていないＩＣタグが部屋に入る恐れがあるか否かを判定する判定手段と、入室を許可されていないＩＣタグが部屋に入る恐れがあることが判定手段によって判定された場合に、報知装置から、入室を許可されていない旨を報知させる警告制御手段と、を備え、判定手段は、災害検出装置によって災害の発生が検出されると、受信機が受信したＩＤ情報に基づいて、入室を許可されていないＩＣタグが部屋に入ったか否かを判定し、警告制御手段は、入室を許可されていないＩＣタグが部屋に入ったことが判定手段によって判定されると、所定のセンター装置に通報するものである。
【手続補正４】
【補正対象書類名】明細書
【補正対象項目名】０００８
【補正方法】変更
【補正の内容】
【０００８】
また、この発明に係る入退室管理システムは、所定の災害の発生を検出する災害検出装置と、所定場所の通行を規制するための扉の近傍に設けられ、所定の検出範囲に存在するＩＣタグからＩＤ情報を受信する受信機と、通常時は、受信機が受信したＩＤ情報が既登録のＩＤ情報と一致する場合に、扉の錠装置を解錠する通常制御を行い、災害検出装置によって災害の発生が検出されると、扉の錠装置を解錠した状態に保持する避難制御を行う錠制御手段と、扉の近傍に設けられた報知装置と、災害検出装置によって災害の発生が検出されると、受信機が受信したＩＤ情報に基づいて、ＩＣタグが所定場所を通行しようとしているか否かを判定する第１判定手段と、所定場所を通行した後に続く避難経路が通行止めになっているか否かを判定する第２判定手段と、ＩＣタグが所定場所を通行しようとしていることが第１判定手段によって判定され、且つ、所定場所を通行した後に続く避難経路が通行止めになっていることが第２判定手段によって判定された場合に、報知装置から、所定場所を通らないようにする旨を報知させる警告制御手段と、を備えたものである。
【国際調査報告】
2013094022.tif 000008
2013094022.tif 000009
2013094022.tif 000010
2013094022.tif 000011
2013094022.tif 000012
2013094022.tif 000013
2013094022.tif 000014
2013094022.tif 000015